(57)【要約】    【課題】  無垢材や集成材で形成された框に鏡板を嵌め込んでなる扉において、製造コストの高騰を抑制しつつ、高級感や重厚感を維持し、かつ、意匠性を向上することが可能な扉を提供することを課題とする。    【解決手段】  框１１と鏡板１２とを用いて収納用の扉１を構成する場合、無垢材で形成された框１１の本体１１ａの表面と、鏡板１２の本体１２ａの表面とに、同樹種でなる突き板１１ｂ，１２ｂをそれぞれ貼り付ける。そして、框１１における鏡板１２側の端部を凹陥し、該凹陥部に鏡板１２の側縁部を嵌入させる。【選択図】    図２
2005226275.tif 000002
【特許請求の範囲】
【請求項１】
框に鏡板を嵌め込んでなる扉であって、框本体の表面と鏡板本体の表面とに、同樹種でなる突き板が貼り付けられていることを特徴とする扉。
【請求項２】
框本体は、無垢材であることを特徴とする請求項１に記載の扉。
【請求項３】
框本体は、集成材であることを特徴とする請求項１に記載の扉。
【請求項４】
突き板は、框本体と同樹種の木材で形成されていることを特徴とする請求項１から請求項３のいずれかに記載の扉。
【発明の詳細な説明】
【技術分野】
【０００１】
本発明は、建具に用いられる扉に関し、特に框と鏡板とを用いた扉の技術分野に属する。
【背景技術】
【０００２】
近年、キッチンの収納用扉や家屋の両面扉等として木目調の扉が好まれる傾向にあり、例えば特許文献１には、框を天然木からなる無垢材で形成すると共に、鏡板を合板の表面に天然木の薄板でなる突き板を貼り付けて構成した扉が開示されている。
【０００３】
さらに、上記特許文献１には、框を天然木からなる無垢材で形成すると共に、鏡板を基板としての合板の表面に木目模様を印刷した樹脂シートを貼り付けて構成した扉が開示されている。
【０００４】
【特許文献１】特開平６−１４６７３０号公報
【発明の開示】
【発明が解決しようとする課題】
【０００５】
ところで、上述した扉のうち前者は、框を天然木からなる無垢材で形成すると共に、鏡板を合板の表面に天然木の薄板でなる突き板を貼り付けて構成したものであるので、外観上、高級感や重厚感に優れる反面、突き板は一品一品木目模様や色調が異なり、複数の扉を並べて設置した場合に、各扉の木目模様が不揃いになったり、あるいは框と突き板つまり鏡板との意匠性に違和感が生まれることがある。そして、框や突き板に天然木を用いるので、製造コストを高騰させる惧れがある。
【０００６】
また、上述した扉のうち後者は、框を天然木からなる無垢材で形成し、かつ鏡板を基板としての合板の表面に樹脂シートを貼り付けることで構成したものであるので、同じ色、形の木目模様の鏡板を有した扉を多数枚製造することが可能となり、複数枚の扉を並べた場合に、扉のデザインの統一を図ることができるという効果が得られる反面、樹脂シートを用いるため、高級感や重厚感に欠ける。さらに、扉単体で見てみた場合、框を形成する無垢材と鏡板に貼り付けた樹脂シートとの質感の違いが露呈されるようになり、色調や模様に違和感が生じることがある。
【０００７】
そして、捩れや反り等を低減するため、あるいは製造コストの高騰を抑制するため、例えば框を集成材で構成する場合、上記のいずれの扉においても、集成材のつなぎ合わせの線が見えてしまい、意匠性の問題が一層顕在化するようになる。
【０００８】
そこで、本発明は、無垢材や集成材で形成された框に鏡板を嵌め込んでなる扉において、製造コストの高騰を抑制しつつ、高級感や重厚感を維持し、かつ、意匠性を向上することが可能な扉を提供することを課題とする。
【課題を解決するための手段】
【０００９】
上記課題を解決するために、本発明は、次のように構成したことを特徴とする。
【００１０】
まず、本願の請求項１に記載の発明は、框に鏡板を嵌め込んでなる扉であって、框本体の表面と鏡板本体の表面とに、同樹種でなる突き板が貼り付けられていることを特徴とする。
【００１１】
次に、本願の請求項２に記載の発明は、請求項１に記載の発明において、框本体は、無垢材であることを特徴とする。
【００１２】
また、本願の請求項３に記載の発明は、請求項１に記載の発明において、框本体は、集成材であることを特徴とする。
【００１３】
そして、本願の請求項４に記載の発明は、請求項１から請求項３のいずれかに記載の発明において、突き板は、框本体と同樹種の木材で形成されていることを特徴とする。
【発明の効果】
【００１４】
以上のように構成したことにより、まず、請求項１に記載の発明によれば、框本体の表面と鏡板本体の表面とに、同樹種でなる突き板を貼り付けたので、框と鏡板との間で色調や模様が合うようになり、意匠性が向上する。
【００１５】
また、従来のように、鏡板を構成するのに樹脂シートを用いた場合と比較して、高級感や重厚感が維持される。
【００１６】
そして、框本体の材質は、例えば高価な天然木に限定されないため、製造コストの高騰を抑制することが可能となる。
【００１７】
次に、請求項２と請求項３とに記載のいずれの発明によっても、框本体の構成がさらに具体化される。そして、特に請求項２に記載の発明によれば、框本体に無垢材を用いたので、高級感や重厚感が一層良好に維持される。
【００１８】
一方、請求項３に記載の発明によれば、集成材からなる框本体において、集成材のつなぎ合わせの線が突き板によって良好に覆われる。
【００１９】
その上で、框本体に集成材を用いたので、框本体の反りや捩れ等が低減されるという効果が得られ、特にサイズが大きい扉等でこの効果をより発揮することができる。
【００２０】
また、集成材は、一般に比較的低価格で手に入り易いため、製造コストの高騰を抑制することが可能となる。
【００２１】
さらに、集成材には、一本の天然木を殆ど余すこと無く使用することができるメリットがあり、また、間伐材等も集成材として使用することができるので、これを用いることは資源の有効利用にもつながる。
【００２２】
そして、請求項４に記載の発明によれば、框本体と鏡板本体とに、框本体と同樹種の木材からなる突き板を貼り付けたので、例えば框に天然木からなる無垢材を用い、かつ鏡板本体の表面に天然木からなる突き板を貼り付けた場合と比較して、框と鏡板との色調や模様が一層合うようになり、意匠性が一層向上する。
【発明を実施するための最良の形態】
【００２３】
以下、本発明の実施の形態に係る扉について説明する。
【００２４】
まず、図１に示す扉１は、細長い４つの框１１…１１に正面視矩形状の鏡板１２を嵌め込んでなる収納用の扉で、取っ手１３を介して上方辺部を支点に開閉されるものである。
【００２５】
また、図２に示すように、各框１１の本体１１ａに無垢材が用いられ、框本体１１ａの表面と鏡板１２の本体１２ａの表面とに、同樹種でなる突き板１１ｂ，１２ｂがそれぞれ貼り付けられている。そして、各框１１は鏡板１２側の端部が凹陥され、該凹陥部に鏡板１２の側縁部が嵌入されている。
【００２６】
以上のように、框本体１１ａの表面と鏡板本体１２ａの表面とに、同樹種でなる突き板１１ｂ，１２ｂを貼り付けたので、図２において矢印ａ方向から見たときに、框１１と鏡板１２との間で色調や模様が合うようになり、意匠性が向上する。
【００２７】
また、従来のように、鏡板を構成するのに樹脂シートを用いた場合と比較して、高級感や重厚感が維持される。
【００２８】
そして、框本体１１ａの材質を限定しない場合には、製造コストの高騰を抑制することが可能となる。特に本実施の形態のように、框本体１１ａに無垢材を用いると、高級感や重厚感が一層良好に維持される。
【００２９】
次に、別なる実施の形態について説明する。
【００３０】
まず、図３に示す扉２は、上記扉１と同様に収納用の扉である。そして、この扉２では、各框２１の本体２１ａに集成材が用いられ、框本体２１ａの表面と鏡板２２の本体２２ａの表面とに、同樹種でなる突き板２１ｂ，２２ｂがそれぞれ貼り付けられている。また、上記扉１と同様に、各框２１は鏡板２２側の端部が凹陥され、該凹陥部に鏡板２２の側縁部が嵌入されている。
【００３１】
以上のように、框本体２１ａの表面と鏡板本体２２ａの表面とに、同樹種でなる突き板２１ｂ，２２ｂを貼り付けたので、集成材からなる框本体２１ａにおいて、集成材のつなぎ合わせの線が突き板２１ｂによって良好に覆われると共に、框２１と鏡板２２との色調や模様が一層合うようになり、意匠性が一層向上する。
【００３２】
その上で、框本体２１ａに集成材を用いたので、框本体２１ａの反りや捩れ等が低減されるという効果が得られ、特にサイズが大きい扉等でこの効果をより発揮することができる。
【００３３】
また、集成材は、一般に比較的低価格で手に入り易いため、製造コストの高騰を抑制することが可能となる。
【００３４】
さらに、集成材には、一本の天然木を殆ど余すこと無く使用することができるメリットがあり、また、間伐材等も集成材として使用することができるので、これを用いることは資源の有効利用にもつながる。
【００３５】
次に、図４に示す扉３は、同様に収納用の扉である。その場合、各框３１の本体３１ａに無垢材が用いられ、框本体３１ａの表面と鏡板３２の本体３２ａの表面とに、框本体３１ａと同樹種の木材で形成された突き板３１ｂ，３２ｂがそれぞれ貼り付けられている。そして、各框３１は鏡板３２側の端部が凹陥され、該凹陥部に鏡板３２の側縁部が嵌入されている。
【００３６】
以上のように、框本体３１ａと鏡板本体３２ａとに、框本体３１ａと同樹種の木材で形成された突き板３１ｂ，３２ｂを貼り付けたので、例えば框に天然木からなる無垢材を用い、かつ鏡板本体の表面に天然木からなる突き板を貼り付けた場合と比較して、框３１と鏡板３２との色調や模様が一層合うようになり、意匠性が一層向上する。
【００３７】
次に、図５に示す扉４は、扉枠Ｆによって形成された開口を開閉する両面扉である。この扉４は、左右框４１，４１に鏡板４２を嵌め込んでなり、左側に取り付けられたレバーハンドル４３を操作することにより、２個のヒンジＨ，Ｈを介して右側辺部を支点に開閉される。
【００３８】
そして、図６に示すように、無垢材からなる各框４１の本体４１ａの表裏両面と、鏡板４２の本体４２ａの表裏両面とに、同樹種でなる突き板４１ｂ，４２ｂがそれぞれ貼り付けられている。この扉４も前述した扉１と同様に、各框４１は鏡板４２側の端部が凹陥され、該凹陥部に鏡板４２の側縁部が嵌入されている。
【００３９】
以上のように、框本体４１ａの表裏両面と鏡板本体４２ａの表裏両面とに、同樹種でなる突き板４１ｂ，４２ｂを貼り付けたので、扉４の表裏両面から見たときに、框４１と鏡板４２との間で色調や模様が合うようになり、意匠性が向上する。
【００４０】
また、従来のように、鏡板を構成するのに樹脂シートを用いた場合と比較して、高級感や重厚感が維持される。
【００４１】
そして、框本体４１ａの材質を限定しない場合には、製造コストの高騰を抑制することが可能となる。特に本実施の形態のように、框本体４１ａに無垢材を用いると、高級感や重厚感が一層良好に維持される。
【００４２】
次に、図７に示す扉５は、上下左右框５１…５１に鏡板５２を嵌め込んでなる両面扉である。この扉５は、扉枠Ｆに２個のヒンジＨ，Ｈを介して装着され、左側に取り付けられたレバーハンドル５３を操作することにより、右側辺部を支点に開閉される。また、図示しない無垢材で形成された框本体の表裏両面と、鏡板本体の表裏両面とに、同樹種でなる図示しない突き板が貼り付けられている。
【００４３】
そして、図８に示す扉６は、複数の框６１…６１に２枚の鏡板６２,６２と２枚のガラス板６３,６３とを嵌め込んでなる両面扉である。この扉６は、扉枠Ｆに２個のヒンジＨ，Ｈを介して装着され、左側に取り付けられたレバーハンドル６４を操作することにより、右側辺部を支点に開閉される。また、図示しない無垢材で形成された框本体の表裏両面と、鏡板本体の表裏両面とに、同樹種でなる図示しない突き板が貼り付けられている。
【００４４】
説明を省略するが、このような扉５，６においても、上述した扉４において得られた効果と同じ効果が得られる。
【００４５】
そして、図９に示す扉７は、各框７１と各鏡板７２との結合部の所定の位置に一対のモール材７３，７３を固着し、これらのモール材７３，７３によって形成された溝部に、鏡板７２を嵌め込んでなる両面扉である。この扉７では、框本体７１ａの表裏両面と鏡板本体７２ａの表裏両面とモール材本体７３ａの表面とに、同樹種でなる突き板７１ｂ，７２ｂ，７３ｂが貼り付けられている。
【００４６】
以上のように、框７１に鏡板７２を嵌め込むため、モール材７３を用いた場合にも、扉７の表裏両面において色調や模様が合うようになり、意匠性が向上する。さらに、モール材本体７３ａの表面にも突き板７３ｂを貼り付けるので、意匠性が良好に維持される。
【００４７】
以上、いくつかの実施の形態について説明してきたが、本発明に係る扉の構成はこれらの実施の形態に限られるものではない。
【００４８】
例えば、扉３〜７において、框３１，４１，５１，６１，７１の本体３１ａ，４１ａ，７１ａに無垢材を用いたが、集成材を用いてもよい。
【００４９】
また、扉２，４〜７に用いる突き板を、框本体２１ａ，４１ａ，７１ａと同樹種の木材で形成してもよい。
【産業上の利用可能性】
【００５０】
以上のように、本発明によれば、無垢材や集成材で形成された框に鏡板を嵌め込んでなる扉において、製造コストの高騰を抑制しつつ、高級感や重厚感を維持し、かつ、意匠性を向上することが可能な扉が提供され、扉の技術分野に広く好適である。
【図面の簡単な説明】
【００５１】
【図１】本発明の実施の形態に係る収納用の扉の正面図である。
【図２】図１のア−ア線による拡大断面図である。
【図３】本発明の別なる実施の形態に係る収納用の扉において、框本体に集成材を用いた場合の図２に相当する断面図である。
【図４】同じく本発明の別なる実施の形態に係る収納用の扉において、框本体と同樹種の木材で形成された突き板を用いた場合の図２に相当する断面図である。
【図５】本発明の別なる実施の形態に係る扉の正面図である。
【図６】図５の概ねイ−イ線による拡大断面図である。
【図７】本発明の別なる実施の形態に係る扉の正面図である。
【図８】同じく本発明の別なる実施の形態に係る扉の正面図である。
【図９】モール材を用いて框に鏡板を嵌め込んだ扉の要部断面図である。
【符号の説明】
【００５２】
１〜７    扉
１１，２１，３１，４１，５１，６１，７１    框
１１ａ，２１ａ，３１ａ，４１ａ，７１ａ      框本体
１１ｂ，１２ｂ，２１ｂ，２２ｂ，３１ｂ，３２ｂ，４１ｂ，４２ｂ，７１ｂ，７２ｂ    突き板
１２，２２，３２，４２，５２，６２，７２    鏡板
１２ａ，２２ａ，３２ａ，４２ａ，７２ａ      鏡板本体
【図１】
2005226275.tif 000003
【図２】
2005226275.tif 000004
【図３】
2005226275.tif 000005
【図４】
2005226275.tif 000006
【図５】
2005226275.tif 000007
【図６】
2005226275.tif 000008
【図７】
2005226275.tif 000009
【図８】
2005226275.tif 000010
【図９】
2005226275.tif 000011